(57)【要約】【課題】スライド式ドアロック装置の部品取付構造において、部品点数を削減して構造を簡略化し、組立・分解作業を手間なく簡単にするとともに、ドアの施解錠動作の不具合発生を防止する。【解決手段】ロック手段Ａに備えるロックバー１０に、その摺動範囲を規制する突き当て段部１３ａ・１３ｂを設けるとともに、ピニオン１８との噛み合い位置にラック１０ｂを設け、且つ長さ方向端部を開放してそこに取付ブロック１１の差込み口１４を設ける。一方、取付ブロックには、ピニオンとストッパ２０を含む取付部品を組み付ける取付部１５ａ〜１５ｃを、各取付部品の外形状に合わせて同じ部品組付け面１１ａに設ける。そして、取付ブロックを、その部品組付け面をロックバーの溝部開口１２に対し上向きにして差込み口からロックバーに係合し、取付部品を各々が対応する取付部に組み付けてロック手段を組み立ててなる。【選択図】　　　　図１
2004019192.tif 000002
【特許請求の範囲】
【請求項１】
ドアを間に挟んで内側にドアを施解錠するロック手段を、外側にドアの施解錠状態を表示する表示手段を取り付けて締着してなり、前記ロック手段に備える略みぞ形のロックバーと取付ブロックとをスライド自在に係合し、前記ロックバーを、その施錠位置と解錠位置の間で摺動させてドアを施解錠すると同時に、そのロックバーの摺動をラックピニオン機構で回転運動に変換し、その回転を前記表示手段に伝達してドアの施解錠状態を切換表示するスライド式ドアロック装置において、
前記ロックバーには、その溝部開口縁にあって互いに対向して断面略Ｌ形状に曲げ延びる係合片の両側又はいずれか一側に、前記施錠位置と解錠位置間で摺動範囲を規制する突き当て段部を設けるとともに、ピニオンとの噛み合い位置にラックを設け、且つ長さ方向端部を開放してそこに前記取付ブロックの差込み口を設ける一方、
前記取付ブロックには、前記ラックと噛み合うピニオンと、前記突き当て段部に当てて前記摺動範囲を規定するストッパとを含む取付部品を個々に組み付ける取付部を、対応する取付部品の外形状に合わせて同じ部品組付け面に設け、
該取付ブロックを、その部品組付け面を前記ロックバーの溝部開口に対し上向きにして前記差込み口から前記ロックバーの前記係合片に係合し、前記取付部品を、各々が対応する前記取付部に組み付けて前記ロック手段を組み立ててなることを特徴とする、スライド式ドアロック装置の部品取付構造。
【発明の詳細な説明】
【０００１】
【発明の属する技術分野】本発明は、ドアの内側にドアを施解錠するスライド式のロック手段を設置し、反対の外側にドアの施解錠状態を表示する表示手段を設置してなるドアロック装置の技術分野に属する。詳しくは、ロック手段に備えるロックバーと取付ブロックとをスライド自在に係合し、ロックバーを、施錠位置と解錠位置の間で摺動させてドアを施解錠すると同時に、ロックバーの摺動に連動してドアの施解錠状態を切換表示するスライド式ドアロック装置に適用し得る。本発明は、特に、そのようなスライド式ドアロック装置の部品取付構造に関する。
【０００２】
【従来の技術】従来、この種のスライド式ドアロック装置の中に、これをドアに組み付けるために、たとえば図１０に示すような部品取付構造を備える構成にしたものがある。
【０００３】
この従来のスライド式ドアロック装置では、ドアＤを間に挟んで内側に取り付けるスライド式のロック手段Ｒと、反対の外側に取り付ける表示手段Ｓを備えている。
【０００４】
ロック手段Ｒは、樹脂製の取付ブロック１と、略みぞ形の金属製ロックバー２とを備える。取付ブロック１は、互いに嵌め合い可能な形状に成形された、ベースプレート３およびストッパプレート４の２体に分割してなり、一方のベースプレート３に、内周に雌ねじ穴を有する管軸状のスタッドａを組み付け、他方のストッパプレート４に、一端にピニオンｂを有する回転支軸ｃ、ストッパ金属片ｄなどを組み付ける構成になっている。ストッパプレート４には、その角縁に、ストッパ金属片ｄの取付位置とは反対側にＬ状に曲げ延びる弾性片４ａが突設されている。ロックバー２は、その溝部開口縁に、互いに対向して断面略Ｌ形状に曲げ延びる係合片２ａを有するが、その係合片２ａの一側に、その一部を切り欠いて突き当て段部２ｂを設け、他側にラック２ｃが設けられている。
【０００５】
表示手段Ｓは、扇形の表示窓５ａを設けた取手ケース５と、樹脂製の取付プレート６を備え、取付プレート６に管軸状の回転受軸ｅと表示板ｆとが組み付けられる。そして、取手ケース５に取付プレート６を嵌入させて組み立てられる。
【０００６】
一方、ロック手段Ｒを組み立てるときは、ベースプレート３にスタッドａをＥリングで止めて立設し、ストッパプレート４にストッパ金属片ｄをねじ止めする。さらに、ベースプレート３の中心挿通穴３ａに回転支軸ｃを挿通させ、ストッパプレート４とベースプレート３との間でピニオンｂを組み込む。そして、ストッパプレート４を、そのストッパ金属片ｄ側をベースプレート３の嵌合凹部３ｂに嵌め合わせて、取付ブロック１を組み立てる。
【０００７】
しかる後、この取付ブロック１をロックバー２に係合し、マイナスドライバ等を使って弾性片４ａを押え付けながらロックバー２をスライドさせ、取付ブロック１を、ストッパ金属片ｄが突き当て段部２ｂ間に位置する摺動規制位置にセットする。すると、弾性片４ａの弾性復帰力でストッパプレート４が、ストッパ金属片ｄと突き当て段部２ｂとの係合高さ位置まで押し上げられる。そして、ロックバー２の両端にキャップ７を被せると、ロック手段Ｒが組み立てられる。
【０００８】
組み立てたロック手段Ｒは、ドアＤの内側から、回転支軸ｃとスタッドａをそれぞれドアＤの取付穴８ａ〜８ｃに挿通する一方、表示手段Ｓは、ドアＤの外側から、回転受軸ｅを中間の取付穴８ａに挿通して回転支軸ｃと係合する。そして、長ネジｇを取付穴８ｂ・８ｃに通してスタッドａに捩じ込み、ロック手段Ｒと表示手段ＳとをドアＤを挟んで締着する。こうしてスライド式ロック装置がドアＤに組み付けられる。
【０００９】
そこで、斯かる取付構造からなる従来のスライド式ロック装置では、ロックバー２を、ストッパ金属片ｄが突き当て段部２ｂに突き当たる摺動規制範囲の間でスライドさせると、それに応じてドアＤが施解錠される。一方、ロックバー２が摺動すると、ラック２ｃと噛み合うピニオンｂが回転し、その回転を、回転支軸ｃと回転受軸ｅの係合を介し伝達して表示板ｆを回動し、その回動方向に応じて、表示窓ａから臨む表示板ｆの異なる区分表示面を切り換えて、ドアＤの施解錠状態を外部に表示するようになっている。
【００１０】
【発明が解決しようとする課題】ところが、上述した従来のスライド式ドアロック装置の部品取付構造では、ロック手段Ｒの取付ブロック１を、ベースプレート３とストッパプレート４の２体に分割し、その間で、スタッドａ・ピニオンｂ・ストッパ金属片ｄなどを組み付ける複雑な構成であるため、部品点数が極めて多くなり、それだけコスト高になるという課題があった。
【００１１】
また、ベースプレート３とストッパプレート４の２体間に、ピニオンｂ等の部品を組み付ける必要があるため、各々組み付け易い方向を選んで組み込んだり、取り付けやすいように逐一持ち変えて組み込んだり、しかも、いちいち弾性片４ａを押えながら組み立てなければならず、組立作業にとても手間を要し、面倒である。反対に、修理点検などのために分解する場合も、同様に分解作業に手間取り、面倒であるという課題があった。
【００１２】
さらに、従来では、ストッパプレート４の弾性片４ａによってストッパ金属片ｄを突き当て段部２ｂとの所定係合高さ位置まで押し上げて位置決めする構成であるが、これでは、ロックバー２のスライド操作の繰り返しによって、経時、弾性片４ａが磨耗したり破損したりする結果、ストッパ金属片ｄが突き当て段部２ｂとの所定係合位置から外れやすく、それが原因で、ドアＤの施解錠不能などの不具合が発生するという課題もあった。
【００１３】
そこで、本発明の目的は、上述のようなスライド式ドアロック装置において、部品点数を削減して構造を簡略化し、組立・分解作業を手間なく簡単にするとともに、ドアの施解錠動作の不具合が発生することのない部品取付構造を提供することにある。
【００１４】
【課題を解決するための手段】したがって、上記目的を達成すべく、請求項１に記載の発明は、たとえば以下に示す図示実施の形態のとおり、ドアＤを間に挟んで内側にドアＤを施解錠するロック手段Ａを、外側にドアＤの施解錠状態を表示する表示手段Ｂを取り付けて締着してなり、前記ロック手段Ａに備える略みぞ形のロックバー１０と取付ブロック１１とをスライド自在に係合し、前記ロックバー１０を、その施錠位置と解錠位置の間で摺動させてドアＤを施解錠すると同時に、そのロックバー１０の摺動をラックピニオン機構で回転運動に変換し、その回転を前記表示手段Ｂに伝達してドアＤの施解錠状態を切換表示するスライド式ドアロック装置において、前記ロックバー１０には、その溝部開口縁にあって互いに対向して断面略Ｌ形状に曲げ延びる係合片１３の両側又はいずれか一側に、前記施錠位置と解錠位置間で摺動範囲を規制する突き当て段部１３ａ・１３ｂを設けるとともに、ピニオン１８との噛み合い位置にラック１０ｂを設け、且つ長さ方向端部を開放してそこに前記取付ブロック１１の差込み口１４を設ける一方、前記取付ブロック１１には、前記ラック１０ｂと噛み合うピニオン１８と、前記突き当て段部１３ａ・１３ｂに当てて前記摺動範囲を規定するストッパ２０とを含む取付部品を個々に組み付ける取付部１５ａ〜１５ｃを、対応する取付部品の外形状に合わせて同じ部品組付け面１１ａに設け、該取付ブロック１１を、その部品組付け面１１ａを前記ロックバー１０の溝部開口１２に対し上向きにして前記差込み口１４から前記ロックバー１０の前記係合片１３に係合し、前記取付部品を、各々が対応する前記取付部１５ａ〜１５ｃに組み付けて前記ロック手段Ａを組み立ててなることを特徴とする。
【００１５】
【発明の実施の形態】以下、図面を参照しつつ、本発明の実施の形態について説明する。
【００１６】
図１は、本発明による部品取付構造を適用したスライド式ドアロック装置を示す分解斜視図である。図２は、スライド式ドアロック装置に備えるロック手段を示す組立斜視図である。図３は、スライド式ドアロック装置の平面図である。図示例のスライド式ドアロック装置は、ドアＤを間に挟んで内側に取り付けるロック手段Ａと、反対の外側に取り付ける表示手段Ｂとを備えてなる。
【００１７】
ロック手段Ａは、たとえば金属製のロックバー１０と樹脂製の取付ブロック１１とを備える。図示例のロックバー１０は、略みぞ形に成形するが、特に、溝部開口１２の開口縁に、互いに対向して断面略Ｌ形状に曲げ延びる係合片１３を設けた変形みぞ形に形成する。そして、両側面の中間部を溝部開口１２寄りに若干湾曲させて、そこに把持部１０ａを形成するとともに、一端部は、溝部を開放し、そこに取付ブロック１１の差込み口１４を設けた外形状に形成してなる。
【００１８】
さらに、ロックバー１０は、係合片１３の一側を一部切り欠いて、そこにロックバー１０の施錠位置と解錠位置間で摺動範囲を規制する突き当て段部１３ａ・１３ｂを設けてなる。一方、溝部内には、図３に示すように、突き当て段部１３ａ・１３ｂの下側に長手方向に沿って内向きにラック１０ｂを設ける。ラック１０ｂは、その長さ方向に設ける歯部のうち、両端側におけるロックバー１０の施錠位置と解錠位置の歯部を、同じ高さ位置に形成する一方、その間の残りの中間歯部を、一段低く溝部底面寄りの高さ位置に形成してなる。
【００１９】
取付ブロック１１は、たとえばインサート樹脂成形により作製し、樹脂製の取付本体部１５と、その両側面に長手方向に沿って突設したガイドレール部１６を一体に形成するとともに、金属プレートを埋設し、そのプレートに基端を固着したスタッド１７を部品組付け面１１ａから突出するように立設してなる。スタッド１７は、内周に雌ねじ穴を螺設した管軸状の金属製連結杆である。
【００２０】
さらに、樹脂製の取付本体部１５には、部品組付け面１１ａ上に、後述する取付部品を組み付ける複数の取付部１５ａ・１５ｂ・１５ｃを設けてなる。そのうち第１の取付部１５ａは、ピニオン１８を組み込むために、その外形に合わせて形成した貫通穴からなる。第２の取付部１５ｂは、ピニオン１８の付勢ばね１９を組み込むために、その外形に合わせて形成した一対の平行な差込み細溝からなる。第３の取付部１５ｃは、ストッパ２０を組み付けるために、その外形に合わせて形成した矩形の切欠きからなる。
【００２１】
ピニオン１８は、樹脂成形により軸部１８ａの一端にピニオンギヤ１８ｂを設ける一方、他端を太径に成形しそこにバネ押え部１８ｃを形成するとともに、該バネ押え部の端面から軸部１８ａの長さ方向に深く係合穴２２を穿設してなる。この係合穴２２に、ピニオン１８の回転を伝達する回転支軸２３を係合させる構成になっている。そのため、係合穴２２は、回転支軸２３の断面形状に合わせて、回転伝達可能な略矩形状に穿設されている。
【００２２】
付勢ばね１９は、それぞれＵ形状に屈曲させた一対のばね性を有する針金材からなる。ストッパ２０は、比較的肉厚な金属片をＬ板状に曲げ成形し、一片にねじ止め板部２０ａを形成する一方、他片に突き当て板部２０ｂを形成してなる。なお、図中符号２４は、取付ブロック１１の部品組付け面１１ａに被せる外装カバーである。したがって、外装カバー２４には、スタッド１７およびバネ押え部１８ｃを通す挿通穴２４ａが設けられている。
【００２３】
一方、表示手段Ｂは、表示板２６と取手ケース２７および取付金具２８を備える。表示板２６は、円板２６ａの裏面中心に管軸状の回転受軸２６ｂを立設してなる。回転受軸２６ｂの中空穴２６ｃは、上記回転支軸２３の断面形状に合わせて略矩形状に穿設された貫通穴で、円板２６ａの中心を貫通している。なお、中空穴２６ｃは、その深さ方向中段位置から円板２６ａ中心の開口までの穴形状を、より細径に形成し、中段穴位置に段差を設けてなる。円板２６ａには、その表面を２つに色分けし、ドアＤの施解錠状態を識別できるように区分表示面が施されている。
【００２４】
取手ケース２７は、キャップ状をなし、その楕円状表面の中心に、回転受軸２６ｂの中空穴２６ｃを臨ませる操作穴２７ａを設け、その操作穴２７ａと隣接してに表示窓３０が開けられている。取付金具２８は、箱形本体部２８ａに、表示板２６の回転受軸２６ｂを通す挿通穴３１を設け、その箱形本体部２８ａの両端に、対称なねじ止め用の鍔部２８ｂを突設してなる。
【００２５】
さて、上述した構成のスライド式ドアロック装置をドアＤに取り付けるに当たり、予めロック手段Ａを組み立てるが、そのとき、特に、取付ブロック１１は、部品組付け面１１ａをロックバー１０の溝部開口１２に対し上向きにして、差込み口１４からガイドレール部１６を差し込んで係止片１３に係止し、スライドさせてロックバー１０に係合セットする。
【００２６】
しかる後、図２に示すように、ロックバー１０に対し部品組込み面１１ａが上向きの取付ブロック１１をセット状態のまま、各取付部１５ａ〜１５ｃに、全て外側の図中上方から、各々が対応する取付部品１８〜２０を組み付ける。
【００２７】
すなわち、ピニオン１８は、ピニオンギヤ１８ｂとばね押え部１８ｃとで、その間に付勢ばね１９を略平行に挟持させた状態にして、ピニオンギヤ１８ｂを取付部１５ａ内に組み込むとともに、付勢ばね１９を取付部１５ｂに差し入れて組み込む。ストッパ２０は、ねじ止め板部２０ａを取付部１５ｃに嵌め込んで突き当て板部２０ｂを取付ブロック１１の側面に当てがい、ねじ止め板部２０ａを止めネジ３３により固着する。そして、ピニオン１８の係合穴２２内に回転支軸２３を係合して挿着してから、取付ブロック１１の部品組込み面１１ａに、図１に示す外装カバー２４を被せる。このようにしてロック手段Ａが組み立てられる。
【００２８】
こうしてロック手段Ａを組み立てる一方、表示手段Ｂの側では、取付金具２８を、取付穴ｘ・ｙ・ｚが予め穿設されたドアＤの所定取付位置に組み付ける。すなわち、取付金具２８は、その挿通穴３１を、中間の取付穴ｙに合わせてドアＤの所定取付位置にねじ止めする。次いで、ロック手段Ａの側において、ドアＤの内側から、回転支軸２３とスタッド１７をそれぞれ取付穴ｘ・ｙ・ｚに挿通する一方、外側の表示手段Ｂの側から、表示板２６の回転受軸２６ｂを中間の取付穴ｙに挿通し、回転支軸２３に係合させる。また、長ネジ２９をスタッド１７の雌ねじ穴に捩じ込み、ロック手段Ａを、間にドアＤを挟んで表示手段Ｂの取付金具２８に締着する。そして、表示板２６を覆って取付金具２８に取手ケース２７を被せ、それを取付金具２８にビス止めする。こうしてスライド式ロック装置が、図４に示すようにドアＤに組み付けられる。
【００２９】
斯かる部品取付構造からなる図示スライド式ロック装置は、使用時にドアＤをロックする場合は、ロックバー１０を持って図４中矢示方向に摺動させる。そして、ロックバー１０が摺動ストローク（摺動範囲）Ｌの距離だけスライドしたとき、図５に示すようにストッパ２０の突き当て板部２０ｂが一側の突き当て段部１３ａに突き当たり、ロックバー１０のスライドを止める。すると、図４中鎖線で示すとおり、ロックバー１０がドアＤとドア支持枠Ｐ間に跨る位置まで突出し、ドアＤが施錠される。なお、図４中符号３５は、この施錠時、ロックバー１０の差込み口１４に有する係合凹部１４ａが係合する止め具である。
【００３０】
一方、ドアＤをロック解除する場合は、ロックバー１０を矢示方向と反対向きに摺動ストロークＬの距離だけ摺動させる。つまり、図２に示すようにストッパ２０の突き当て板部２０ｂが他側の突き当て段部１３ｂに突き当たって止まる位置までスライドさせて、ドアＤのロックを解除する。
【００３１】
このようにロックバー１０をスライドさせてドアＤを施解錠すると、同時に、ロックバー１０の摺動に応じて、ラック１０ｂの施錠位置と解錠位置にある両端歯部とピニオンギヤ１８ｂが噛み合って回転し、その回転を、回転支軸２３と回転受軸２６ｂとの係合を介し伝達して表示板２６を回動し、その回動方向に応じて、表示窓３０から臨む表示板２６の異なる区分表示面が切り換えられ、その都度、ドアＤの施解錠状態が外部に表示される。
【００３２】
なお、ドアＤがロック状態にあるとき、トラブル発生時など、ドアＤの外側から非常解錠する必要があるときは、図示省略するが、専用の非常解錠用キーを使用する。その場合は、非常解錠用キーの細長な先端キー部分を、表示板２６の中空穴２６ｃの中段位置まで差し込み、取付ブロック１１の付勢ばね１９に抗してピニオン１８を押し込んで、ピニオンギア１８ｂを、ラック１０ｂにおける下段位置の中間歯部に噛み合わせる。そして、非常解錠用キーを回動してピニオン１８を回転させる。すると、ラック１０ｂとの噛み合いを介してロックバー１０が解錠位置へとスライドし、ドアＤが解錠される。
【００３３】
ところで、本発明は、上述したロック手段Ａを、それに代えて以下に示すように構成することもできる。図６は、本発明による部品取付構造を適用した他のスライド式ドアロック装置に備えるロック手段Ａ´を示す分解斜視図である。なお、上述した図示実施の形態における構成部分と同様な構成部分については、図中同一符号を付して以下に説明する。
【００３４】
この他の図示実施の形態では、ロックバー１０を摺動規制するストッパとして、図中符号４０で示すフラットで細長な略矩形状の金属プレートを用い、該ストッパ４０を、取付ブロック１１の部品組付け面１１ａを覆う外装カバーとしても機能させる構成になっている。そこで、ストッパ４０は、特に本体のねじ止め板部４０ａを、取付ブロック１１の部品組付け面１１ａに合わせて略同じ大きさの細長な矩形状に形成し、ねじ止め板部４０ａの一端から横向きに突き当て板部４０ｂを突設した形状になっている。そして、ねじ止め板部４０ａには、スタッド１７と、ピニオン１８の軸部１８ａを各々挿通させる挿通穴４１・４２を設けるとともに、ねじ挿通穴４３が設けられている。
【００３５】
さらに、取付ブロック１１には、部品組付け面１１ａの四方外縁から立壁を枠状に立ち上げて収納空間を設け、そこにストッパ４０の取付部１５ｃを形成している。また、図示他例において、ピニオン１８には、ピニオンギヤ１８ｂの歯面側中心にばね収納穴（図示省略）を設け、該ばね収納穴内に、順次、ピニオン用付勢ばねのコイルスプリング４４と、金属製ボール４５を嵌め込む構成になっている。そのため、部品組付け面１１ａ、即ち取付部１５ｃ内の底面には、上記ばね収納穴内でコイルスプリング４４とボール４５が嵌め込み状態のピニオンギヤ１８ｂを組み込むために、その外形状に合わせて取付部１５ａとして貫通穴を設けてなる。
【００３６】
そこで、ロック手段Ａ´を組み立てるときは、上述した図示例と同様に、取付ブロック１１を、部品組付け面１１ａを上向きにして差込み口１４からロックバー１０に係合セットして後、図７に示すように、全て外側の図中上方から、対応する取付部に各取付部品を組み付ける。
【００３７】
すなわち、上記ばね収納穴に嵌め込み一部突出状態のボール４５を下向きにして、ピニオン１８のピニオンギヤ１８ｂを取付部１５ａに組み込む。ストッパ４０は、スタッド１７と、ピニオン１８の軸部１８ａを挿通穴４１・４２に挿通させて取付部１５ｃに嵌め付け、止めネジ４８により固着する。このストッパ４０の取付状態において、ねじ止め板部４０ａで部品組付け面１１ａを覆うとともに、突き当て板部４０ｂが取付部１５ｃの切欠き穴４９から外向きに突出する。このようにしてロック手段Ａ´が組み立てられる。
【００３８】
そして、図示他例において、スライド式ロック装置の使用時、ドアＤをロックする場合は、上述したと同様に、ロックバー１０を持って施錠位置へ摺動させると、図８に示すように、ストッパ４０の突き当て板部４０ｂが一側の突き当て段部１３ａに突き当たり、ロックバー１０のスライドを止める。
【００３９】
一方、ドアＤを解錠する場合は、ロックバー１０を反対の解錠位置へ摺動させ、図７に示すように、ストッパ４０の突き当て板部４０ｂが他側の突き当て段部１３ｂに突き当たって止まる解錠位置までスライドさせて、ドアＤのロックを解除する。
【００４０】
また、上述した図示実施の形態において、ロックバー１０には、係合片１３の一側に突き当て段部１３ａ・１３ｂを設け、それら突き当て段部にストッパ２０・４０を当てて摺動範囲を規定する構成であった。しかし、本発明は、図示省略するが、ロックバーの両側係合片の双方に、同様な突き当て段部を設け、それら両側の突き当て段部にストッパを当てて摺動範囲を規定する構成にすることもできる。
【００４１】
したがって、この他例において、ストッパは、たとえば図９中符号５０で示すとおり、上述したと同様に比較的肉厚な金属片を用いるが、特にねじ止め板部５０ａの両端を互いに対向する同じ向きに屈曲させ、その両曲げ片に突き当て板部５０ｂ・５０ｂを形成してなる。一方、取付ブロック１１には、部品組付け面１１ａ上のストッパ取付位置に、ストッパ５０の外形状に合わせた切欠き凹部からなる取付部１５ｃを形成してなる。
【００４２】
そこで、ロック手段Ａの組立時、この取付部１５ｃにストッパ５０を嵌め込み、両突き当て板部５０ｂが取付ブロック１１の側面から出っ張った状態で、ねじ止め板部５０ａにて止めネジ３３により固着する。そして、ドアの施解錠時は、両突き当て板部５０ｂ・５０ｂがそれぞれロックバーにおける両側の突き当て段部に当たってロックバーの摺動範囲を規定する。
【００４３】
なお、以上の図示実施の形態において、スタッド１７は、インサート成形により埋設した金属プレート上に固着して取付ブロック１１に立設した構成であった。しかし、スタッド１７は、取付ブロックの部品組付け面に、例えばねじ止めして立設する構成にすることもできる。その場合には、ピニオン１８など他の取付部品と同様、部品組付け面にスタッド１７を組み付けるために、その基端部形状に対応させて、ねじ穴形状の取付部を設ける構成にすればよい。
【００４４】
このように本発明では、以上に例示したピニオン１８やストッパ２０・４０・５０等の取付部品とは別に、他種の適宜取付部品を取付ブロックに組み付けてロック手段を構成する場合でも、他の取付部品を組み付けるために対応する取付部を、同じ部品組付け面に設ける構成にすればよい。これによって、必要な各種の取付部品を、取付ブロックの同じ部品組付け面に対し、その外側の上方から、簡単に取り付けることができる。
【００４５】
【発明の効果】上述の如く構成した本発明によれば、次のような効果が得られる。
【００４６】
請求項１に記載の発明によれば、ピニオンやストッパを含む各取付部品を組み付ける取付部を、対応する取付部品の外形状に合わせて取付ブロックの同じ部品組付け面に設け、その取付ブロックを、部品組付け面をロックバーの溝部開口に対し上向きにして差込み口からロックバーの係合片に係合し、取付部品を、各々が対応する取付部に組み付けてロック手段を組み立てる部品取付構成であるため、取付ブロックに対し、常にその外側の同じ上方から、必要な各種の取付部品を取り付けることができ、その結果、従来の如く、取付部品を、いちいち組み付け易い方向を選んで組み込んだり、取り付けやすいように持ち変えて組み込んだりする面倒な組立・分解工程を伴うことがなく、組立・分解作業を著しく手間なく簡単ににすることができる。
【００４７】
さらに、ロック手段の取付ブロックを、従来の如く２体に分割しその間に部品を取り付ける構成ではなく、単体の取付ブロックの同じ部品組付け面に対し取付部品を取り付ける簡略な構成であるため、それだけ部品点数が削減され、コストを著しく低減させることもできる。加えて、取付ブロックにストッパを所定位置に位置決める弾性片のような位置決め部を設ける必要がなく、そのため、従来の如くロックバーのスライド操作の繰り返しによって弾性片が磨耗したり破損したりする問題もなく、その結果、ストッパが突き当て段部との所定係合位置から外れて、ドアの施解錠不能などの不具合が発生することを防止してドアの施解錠動作を安定させることができる。
【図面の簡単な説明】
【図１】本発明による部品取付構造を適用したスライド式ドアロック装置を示す分解斜視図である。
【図２】スライド式ドアロック装置に備えるロック手段を示す組立斜視図である。
【図３】スライド式ドアロック装置の平面図である。
【図４】ドア取付状態におけるスライド式ドアロック装置の正面図である。
【図５】施錠状態のロック手段を示す斜視図である。
【図６】本発明による他の部品取付構造を適用したスライド式ドアロック装置のロック手段を示す分解斜視図である。
【図７】他例における解錠状態のロック手段を示す平面図である。
【図８】他例における施錠状態のロック手段を示す平面図である。
【図９】本発明による更なる他の部品取付構造を適用したスライド式ドアロック装置において、ロック手段の取付ブロックおよびその取付部品を示す分解斜視図である。
【図１０】従来のスライド式ドアロック装置を示す分解斜視図である。
【符号の説明】
Ａ　　　　　　　　ロック手段
Ｂ　　　　　　　　表示手段
Ｄ　　　　　　　　ドア
１０　　　　　　　ロックバー
１０ｂ　　　　　　ラック
１１　　　　　　　取付ブロック
１１ａ　　　　　　部品組付け面
１２　　　　　　　溝部開口
１３　　　　　　　係合片
１３ａ・１３ｂ　　突き当て段部
１４　　　　　　　差込み口
１５ａ〜１５ｃ　　取付部
１８　　　　　　　ピニオン
２０・４０・５０　ストッパ
【図１】
2004019192.tif 000003
【図２】
2004019192.tif 000004
【図３】
2004019192.tif 000005
【図４】
2004019192.tif 000006
【図５】
2004019192.tif 000007
【図６】
2004019192.tif 000008
【図７】
2004019192.tif 000009
【図８】
2004019192.tif 000010
【図９】
2004019192.tif 000011
【図１０】
2004019192.tif 000012